(57)【特許請求の範囲】
【請求項１】
一覧可能な領域が形成された吸水性を有するシート状部材を含む文字習得知育用具であって、
前記一覧可能な領域には、予め定める物の形状と、前記予め定める物に関連する文字とが形成され、
前記文字は、黄血塩水溶液を塗布し乾燥させることによって形成された複数の文字を含み、
前記複数の文字のうちの一部の文字が形成される部分であって、黄血塩水溶液が浸潤した部分の、文字として表示する側の表面上には、水分の浸透を抑制または防止する薄膜が形成されることを特徴とする文字習得知育用具。
【請求項２】
前記薄膜が覆う部分は、文字として表示する側から見て、文字を形成するために黄血塩水溶液が塗布および乾燥された部分よりも周囲に広く形成され、
文字として表示する側から見たときの、前記薄膜が覆う部分の面積と、文字を形成するために黄血塩水溶液が塗布および乾燥された部分の面積との差は、前記薄膜が覆う文字によって異なることを特徴とする請求項１に記載の文字習得知育用具。
【請求項３】
前記一覧可能な領域には、使用者に対する指示を表す文字表示が形成され、
前記指示を表す文字表示は、黄血塩水溶液を塗布し乾燥させることによって、形成されることを特徴とする請求項１または２に記載の文字習得知育用具。
【請求項４】
前記文字は、異なる複数の言語による文字列が併記された文字を含むことを特徴とする請求項１〜３のいずれか１つに記載の文字習得知育用具。
【請求項５】
黄血塩水溶液を塗布し乾燥させた部分に塗布されるための、塩化第二鉄が溶解した液体をさらに含むことを特徴とする請求項１〜４のいずれか１つに記載の文字習得知育用具。
【請求項６】
前記塩化第二鉄を溶解した液体は、水に混和可能な、常温で液体の有機化合物と、水とを溶媒として含む溶液であることを特徴とする請求項５に記載の文字習得知育用具。
【発明の詳細な説明】
【技術分野】
【０００１】
本発明は、予め定める液体が塗布されて発現する画像情報および文字情報によって、使用者に知育的刺激を与えて、文字を習得させる文字習得知育用具に関する。
【背景技術】
【０００２】
図８は、従来技術に係る変色性塗り絵セット１の斜視図である。図９は、従来技術に係る変色性塗り絵２の断面図である。
【０００３】
従来技術に係る変色性塗り絵１は、支持体３と、非変色性像４と、多孔質層５とを含んで構成される。非変色性像４は、支持体３上に設けられ、多孔質層５は、非変色性像４上の少なくとも一部に設けられる。多孔質層５は、吸水状態で透明または半透明化して非変色増を視覚できる。このような構成によって、多孔質層５に水を塗布すると、多孔質層５が吸水して透明化し、非変色性像４による色が視覚され、水が塗布された部分の色が変化して視覚される変色性塗り絵が開示されている（たとえば特許文献１参照）。
【０００４】
【特許文献１】特開２００５−３２６８７０号公報
【発明の開示】
【発明が解決しようとする課題】
【０００５】
従来技術において変色性塗り絵では、液体、たとえば水の塗布によって予め定める領域が発色するという性質を、知育には利用されておらず、使用者に自分で液体を塗布させて、発色によって現れる画像情報および文字情報によって、たとえば幼児などの使用者に知育的刺激を与えて文字を習得させることができないという問題点があった。
【０００６】
本発明の目的は、予め定める液体が塗布されて発現する画像情報および文字情報によって、使用者に知育的刺激を与えて、文字を習得させる文字習得知育用具を提供することである。
【課題を解決するための手段】
【０００７】
本発明は、一覧可能な領域が形成された吸水性を有するシート状部材を含む文字習得知育用具であって、
前記一覧可能な領域には、予め定める物の形状と、前記予め定める物に関連する文字とが形成され、
前記文字は、黄血塩水溶液を塗布し乾燥させることによって形成された複数の文字を含み、
前記複数の文字のうちの一部の文字が形成される部分であって、黄血塩水溶液が浸潤した部分の、文字として表示する側の表面上には、水分の浸透を抑制または防止する薄膜が形成されることを特徴とする文字習得知育用具である。
【０００８】
また本発明は、前記薄膜が覆う部分は、文字として表示する側から見て、文字を形成するために黄血塩水溶液が塗布および乾燥された部分よりも周囲に広く形成され、
文字として表示する側から見たときの、前記薄膜が覆う部分の面積と、文字を形成するために黄血塩水溶液が塗布および乾燥された部分の面積との差は、前記薄膜が覆う文字によって異なることを特徴とする。
【０００９】
また本発明は、前記一覧可能な領域には、使用者に対する指示を表す文字表示が形成され、
前記指示を表す文字表示は、黄血塩水溶液を塗布し乾燥させることによって、形成されることを特徴とする。
【００１０】
また本発明は、前記文字は、異なる複数の言語による文字列が併記された文字を含むことを特徴とする。
【００１３】
また本発明は、黄血塩水溶液を塗布し乾燥させた部分に塗布されるための、塩化第二鉄が溶解した液体をさらに含むことを特徴とする。
また本発明は、前記塩化第二鉄を溶解した液体は、水に混和可能な、常温で液体の有機化合物と、水とを溶媒として含む溶液であることを特徴とする。
【発明の効果】
【００１４】
本発明によれば、一覧可能な領域には、黄血塩水溶液を塗布し乾燥させることによって、物の形状と文字との少なくともいずれか一方が形成される。これによって、三価の鉄イオンを含有する液体、たとえば塩化第二鉄が溶解した液体を塗布することによって、黄血塩水溶液を塗布し乾燥させた部分を、発色させることができる。したがって、黄血塩水溶液を塗布し乾燥させることによって形成された物の形状と文字との少なくともいずれか一方を、視認可能に表示させることが可能になる。
【００１５】
本発明に係る文字習得知育用具の使用者に、塩化第二鉄が溶解した液体を塗布させた場合には、発色によって使用者に視覚的な刺激を与え、一覧可能な領域に形成された内容に、使用者の注意を向けさせることが可能になる。また、塩化第二鉄が溶解した液体を塗布しながら、一覧可能な領域のうち、すでに視認可能に発現した部分から、未だ発現しない部分の物の形状および文字のうちの少なくともいずれか一方を、予想することを、使用者に対して促すことが可能になる。使用者は、この予想と、塩化第二鉄が溶解した液体を塗布することによって発現する物の形状および文字とを比較することによって、前記予想の是非を確認することができる。したがって、使用者に、物の形状と文字との関連を習得させることが可能になる。これによって、使用者に文字を習得させることが可能になる。
また、文字は、黄血塩水溶液を塗布し乾燥させることによって形成された複数の文字を含み、複数の文字のうちの一部の文字が形成される部分の表面上には、水分の浸透を抑制または防止する薄膜が形成される。これによって、塩化第二鉄を溶解した液体を塗布したときに、薄膜が形成される表面部に黄血塩水溶液によって文字が形成される部分に塩化第二鉄を溶解した液体が浸透する時刻を、塩化第二鉄を溶解した液体を塗布した時刻に対して遅らせることができる。したがって、薄膜が形成されない表面部に黄血塩水溶液によって形成された文字が、視認可能に表示される時刻よりも、薄膜が形成された表面部に黄血塩水溶液によって形成された文字が視認可能に表示される時刻を遅らせることができる。これによって、塩化第二鉄を溶解した液体を塗布することによって表示される複数の文字を、読むべき順序に沿って、表示時刻に差を生じさせて順次表示させることが可能となる。
【００１６】
また本発明によれば、薄膜は、一覧可能な領域のうち、複数の文字が形成される部分の表面上に形成され、薄膜が覆う部分は、文字として表示する側から見て、黄血塩水溶液が塗布および乾燥された部分よりも周囲に広く形成される。薄膜が覆う部分の面積と、黄血塩水溶液が塗布および乾燥された部分の面積との差は、文字によって異なる。これによって、塩化第二鉄を溶解した液体が塗布されてから、黄血塩水溶液が塗布および乾燥された部分に塩化第二鉄を溶解した液体が浸透するまでの時間を、文字によって違わせることができる。したがって、一覧可能な領域全体に塩化第二鉄を溶解した液体を塗布した場合、黄血塩水溶液が塗布および乾燥されることによって形成された文字が、視認可能に表示される時刻を、文字毎に変化させることが可能となる。したがって、塩化第二鉄を溶解した液体を塗布することによって表示される複数の文字を、読むべき順序に沿って、表示時刻に差を生じさせて順次表示させることが可能となる。
【００１７】
また本発明によれば、一覧可能な領域には、使用者に対する指示を表す文字表示が、形成され、前記指示を表す文字表示は、黄血塩水溶液を塗布し乾燥させることによって形成される。したがって、使用者は、塩化第二鉄を溶解した液体を塗布し、これに伴って表示された文字表示を読むことによって、次にするべきことを認識することができる。次にすべきことが順次表示されるので、使用者は、作業の進展を認識することができる。これによって、使用者が、作業を行うことの達成感を感じることを可能にする。使用者にとって文字表示を読む作業が必要になり、また文字表示を読むことによって作業内容の理解が促されるので、文字表示を読むことおよび文字表示が読めるようになることの重要性を使用者に感じさせることが可能となる。したがって、使用者に文字表示を読むことを促すことが可能となる。
【００１８】
また本発明によれば、一覧可能な領域に形成される文字は、異なる複数の言語による文字列が併記された文字を含むので、使用者に対して、異なる複数の言語の存在を認識させることができる。また使用者が異なる言語を習得することを補助することができる。
【００２１】
また本発明によれば、文字習得知育用具は、黄血塩水溶液を塗布し乾燥させた部分に塗布されるための、塩化第二鉄が溶解した液体をさらに含んで構成される。これによって、黄血塩水溶液を塗布し乾燥させ部分に、塩化第二鉄が溶解した液体を塗布することが可能となる。
また本発明によれば、塩化第二鉄を溶解した液体は、水と混和可能な、常温で液体の有機化合物を溶媒の一部として含む。これによって、溶媒の一部として有機溶媒を含むことによって、溶媒の表面張力の大きさを小さくすることができる。これによって、塩化第二鉄が溶解した液体を一覧可能な領域に塗布したときに、一覧可能な領域に浸潤する速さを速くすることができる。したがって、一覧可能な領域に使用者の手指が接触することで塩化第二鉄が溶解した液体が使用者の手指に浸潤する可能性のある時間を、溶媒が水である場合に比べて短縮することができる。
【発明を実施するための最良の形態】
【００２２】
以下、図面を参照しながら本発明を実施するための形態を、複数の形態について説明する。以下の説明においては、各形態に先行する形態ですでに説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２３】
図１は、本発明の第１実施形態に係る文字習得知育用具１０の平面図である。第１実施形態に係る文字習得知育用具１０は、予め定める液体が塗布されて発現する画像情報および文字情報によって、使用者に知育的刺激を与えて、文字を習得させる用具である。第１実施形態において、使用者は、小学生低学年以下の子供とする。予め定める液体は、塩化第二鉄を含んだ液体である。
【００２４】
第１実施形態に係る文字習得知育用具１０は、シート状部材１１を含んで形成される。シート状部材１１は、吸水性と可撓性とを有する。シート状部材１１の厚み方向に垂直な一表面には、予め定める物の形状と、予め定める物に関連する文字１３とが形成される。シート状部材１１の厚み方向に垂直な一表面は、一覧可能な領域１４である。予め定める物の形状と、予め定める物に関連する文字１３とのうち、少なくともいずれか一方は、黄血塩水溶液を塗布し乾燥させることによって、形成される。
【００２５】
黄血塩は、ヘキサシアノ鉄（ＩＩ）酸カリウム、フェロシアン化カリウム、黄血カリと称されることもあり、摂氏２５度において、水１００グラム（gram, 略称「ｇ」）に３２．０ｇ溶ける。黄血塩は、水に溶けた状態で［Ｆｅ（ＣＮ）６］４−と表されるフェロシアンイオンを生じる。
【００２６】
一覧可能な領域１４に形成される文字１３は、予め定める物の名称を表す文字列のうち、先頭からの一部の文字１３である。第１実施形態に係る文字習得知育用具１０は、塩化第二鉄水溶液をさらに含んで構成される。塩化第二鉄は、塩化鉄（ＩＩＩ）と称されることもあり、水、エタノール、エーテル、アセトンに易溶である。Ｆｅ２Ｃｌ６と表される無水物は、摂氏０度において、水１００ｇに７４．４ｇ溶ける。Ｆｅ２Ｃｌ６・６Ｈ２Ｏと表される六水和物は、摂氏０度において、水１００ｇに２４６ｇとける。沸騰水に入れると加水分解して赤褐色の水酸化鉄（ＩＩＩ）のコロイド溶液になる。
【００２７】
塩化第二鉄は、水を含有する溶媒中に溶解させると、加水解離してＦｅ３＋と表される第二鉄イオンを生じる。
【００２８】
黄血塩と第二鉄イオンとが溶液中で接触すると、イオン反応によってフェロシアン化鉄（ＩＩＩ）を生じる。フェロシアン化鉄（ＩＩＩ）を生じる。フェロシアン化鉄（ＩＩＩ）は、Ｆｅ４［Ｆｅ（ＣＮ）６］３と表され、深青色の不溶性固体で、ヘキサシアノ鉄（ＩＩ）酸鉄（ＩＩＩ）、不溶性プルシアンブルー、ベルリンブルー、紺青、ベレンス、パリスブルーブロンズブルーまたはブロンズレスブルーと呼ばれることもある。
【００２９】
文字１３は、予め定める物の名称を表す文字列のうち、先頭からの一部の文字１３である。第１実施形態に係る文字習得知育用具１０は、黄血塩水溶液を塗布し乾燥させた部分に塗布されるための、塩化第二鉄が溶解した液体１６をさらに含んで構成される。
【００３０】
第１実施形態において、一覧可能な領域１４には、黄血塩水溶液を塗布し乾燥させることによって、物の形状と文字１３との少なくともいずれか一方が形成される。黄血塩水溶液を塗布した部分に、三価の鉄イオンを含有する液体、たとえば塩化第二鉄水溶液を塗布すると、黄血塩水溶液を塗布し乾燥させた部分が発色する。これによって、黄血塩水溶液を塗布し乾燥させることによって形成された物の形状または文字１３またはその両方が、視認可能に発現する。
【００３１】
第１実施形態に係る文字習得知育用具１０の使用者が、塩化第二鉄が溶解した液体１６を塗布した場合には、発色によって使用者に視覚的な刺激を与えられる。これによって、使用者の注意は、一覧可能な領域１４に形成された内容に向かう。塩化第二鉄が溶解した液体１６を塗布しながら使用者は、一覧可能な領域１４のうち、すでに視認可能に発現した部分から、未だ発現しない部分の物の形状および文字１３のうちの少なくともいずれか一方を、予想することが可能になる。使用者は、この予想と、塩化第二鉄が溶解した液体を塗布することによって発現する物の形状および文字とを比較することによって、前記予想の是非を確認する。これによって、使用者に、物の形状と文字との関連を習得させ、文字を習得させる。
【００３２】
第１実施形態において、一覧可能な領域１４に形成される文字１３は、文字１３が関連する予め定める物の名称を表す文字列のうち、先頭からの一部の文字１３である。使用者は、前記先頭からの一部の文字１３を、物の名称を思い出すための手掛かりとして、一度記憶した物の名称を思い出す。また使用者が、一覧可能な領域１４全体に塩化第二鉄が溶解した液体１６を塗布しても、前記一覧可能な領域１４に形成される文字１３は、物の名称を表す文字列の一部であるので、使用者が物の名称全体を容易に知ることを防止し、使用者は、物の名称を思い出すことを強制される。これによって、文字習得知育用具１０は、使用者に対して知育的刺激を付与する。
【００３３】
文字習得知育用具１０は、黄血塩水溶液を塗布し乾燥させた部分に塗布されるための、塩化第二鉄が溶解した液体１６をさらに含んで構成される。使用者は、黄血塩水溶液を塗布し乾燥させ部分に、塩化第二鉄が溶解した液体１６を塗布することで、一覧可能な領域１４に黄血塩で塗布される物の形状または文字１３またはその両方を発現させる。
【００３４】
第１実施形態において、文字習得知育用具１０は、シート状部材１１としての紙を含んで形成される。紙はシート状に形成され、紙のうち厚み方向に垂直な一表面を成す表面部は、一覧可能な領域１４である。紙は、一平面の広さ１平方メートル（meter square, 略号「ｍ２」）あたりの質量が７５ｇ程度の厚みを有する白色の紙であるものとする。以下、シート状の紙の、厚み方向に垂直で一覧可能な領域１４を「紙面」と称し、紙のうち、紙面を規定する部分を「紙表面部」と称することがある。
【００３５】
第１実施形態において予め定める物はウサギであり、予め定める物の形状は、ウサギを模擬した図案であるものとする。本発明において、ウサギ目ウサギ科の動物を総称して「ウサギ」と称し、ウサギを模擬した図案は、ウサギであることが認識できる程度であれば、強調と省略が施されて示されていてもよい。本発明において物の形状は、写実的であっても、また写実的でなくてもよく、強調と省略とを含んで図案化された形状であってもよい。第１実施形態においてウサギを模擬した図案は、一個体のウサギの全体を模擬した図案である。
【００３６】
第１実施形態において文字１３は、ひらがなで書された「う」というひらがな文字である。文字１３の書体については、特に規定しない。ウサギを模擬した図案は、黒の塗料によって描画される。「う」という文字１３は、黄血塩水溶液で書され、乾燥される。以下、一覧可能な領域１４を形成する部材のうち、黄血塩水溶液が浸潤した部分を「黄血塩浸潤領域１７」と称する。黄血塩水溶液を塗布し乾燥することによって、物の形状および文字１３が、太さを有する線として描かれる場合には、太さを有する線が占める領域が黄血塩浸潤領域１７である。
【００３７】
黄血塩水溶液が塗布されない領域は、物の形状に内包される空白領域であっても、文字１３を構成する線に内包される空白領域であっても、黄血塩浸潤領域１７から除外する。黄血塩浸潤領域１７は、物の形状を形成するために黄血塩を塗布し浸潤させて乾燥させた部分と、文字１３を形成するために黄血塩を塗布し浸潤させて乾燥させた部分とを含む。以下、物の形状を形成するために、一覧可能な領域１４に液体を塗布し浸潤させることを「描画」と称し、文字１３を形成するために、一覧可能な領域１４に液体を塗布し浸潤させることをも「描画」と称することがある。
【００３８】
第１実施形態において、ウサギを模擬した図案と、「う」というひらがな文字とは、１つの紙表面部に描画される。描画された後、紙は、乾燥される。したがって、この図案とこのひらがな文字とは、一覧可能な領域１４に形成される。「う」というひらがな文字は、このひらがな文字が書される紙表面部に描画される図案が、ウサギであることを示す。「う」というひらがな文字は、ウサギの名称を表す「うさぎ」という文字列のうち、先頭からの一部の文字１３であり、先頭からの１文字である。
【００３９】
このひらがな文字は、黄血塩水溶液で描画され乾燥されるので、白色の紙が乾燥した状態においては、「う」というこのひらがな文字は、視認できない。物の形状と文字１３とが描画され乾燥された状態は、文字習得知育用具１０は、使用に供されることが可能な状態であり、使用者が使用する前の状態である。
【００４０】
使用者は、塩化第二鉄水溶液を、一覧可能な領域１４に塗布することで、文字習得知育用具１０を使用する。使用者によって塩化第二鉄水溶液が塗布される部分は、紙の厚み方向に沿って紙面を見たとき、紙表面部のうちの黄血塩描画領域を含み、これより広い範囲に塗布することが望ましい。さらに、使用者は、紙面に平行ないずれかの方向のうちの一方側から塗布を開始し、前記いずれかの方向のうちの他方側の紙表面部への塗布を、一方側の紙表面部への塗布よりも遅く行うことが望ましい。これによって、黄血塩浸潤領域１７は、前記いずれかの方向のうちの一方側から発色し、描画されていた「う」という文字１３は前記いずれかの方向のうちの一方側から発現する。
【００４１】
使用者は、ウサギを模擬した図案を見てウサギであると認識できる能力と、ウサギが「うさぎ」と発音されることの知識と、日本語において「う」というひらがな文字が「う」という発音を表示するものであることの知識とを有することが望ましい。これによって、使用者は、ウサギを模擬した図案を見て、「うさぎ」という発音を想起しようとする。「うさぎ」という発音を思い出せないときに、あるいはウサギの図案が「うさぎ」という発音によって表されることを確認するときに、紙面に塩化第二鉄水溶液を塗布する。本発明において、「日本語」は、本発明出願時における日本語を意味するものとする。また、特に江戸時代以前の日本語と対比して現在日本で用いられる日本語を「現代の日本語」と称することがある。
【００４２】
「うさぎ」という発音を思い出せないときには、「う」という文字１３の一部が発現されたときに、発現された文字１３の一部の形から、「う」という文字１３である可能性を認識する。使用者は、発現された文字１３の一部の形を手掛かりとして、ウサギを模擬した図案が「う」という発音によって始まる名称で示される物の形状であることを想起する。この想起は、ウサギの形状と「うさぎ」という発音との関連性に関する記憶を再生し、思い出すことの補助となる。
【００４３】
「う」という文字１３の一部を視認しても「う」という文字１３が想起できないときには、紙面のさらに広い範囲に塩化第二鉄水溶液を塗布する。これによって、「う」という文字１３全体が発現し、ウサギを模擬した図案が「うさぎ」という発音によって表されることが、示唆される。使用者が「う」という文字１３を見て、「う」という発音を想起できれば、ウサギを模擬した図案が「う」という発音で始まる名称で示される物の形状であることを確信する。この確信は、ウサギの形状と「うさぎ」という発音との関連性に関する記憶を再生し、思い出すことの補助となる。
【００４４】
使用者に対して知育的な刺激を与えるために、予め定める物の名称を表す文字列の一部が、名称を表す文字列の先頭からの１文字であることには、次のような効果がある。日本語によって表される物の名称は、全てひらがな文字で表すことが可能であり、物の名称を表す文字列の先頭の１文字となり得るひらがな文字の種類は、全てのひらがな文字のうちの、７３種類である。これは、「あ行」から「ま行」までと「ら行」とに含まれる４０種類に、「や」、「ゆ」、「よ」、「わ」、「を」、「ん」、「ゐ」および「ゑ」を加え、さらに濁音および半濁音を表す２５種類を加えたひらがな文字の種類の数である。「さ行」に半濁音点を付して表される文字１３は、現代の日本語では用いられないので、前記７３種類には含めていない。また、開拗音と合拗音とを含む拗音は、ひらがな文字による表記で２文字であるとし、先頭の１文字となり得るひらがな文字の種類から、拗音を表す小文字は除く。
【００４５】
「を」、「ん」、「ゐ」および「ゑ」は、現代の日本語で、物の名称を表す文字列の先頭の１文字となることはほとんどないので、物の名称を表す文字列の先頭の１文字となるひらがな文字は、６９種類で、ほとんど全てである。したがって、一覧可能な領域１４に書される文字１３は６９種類または７３種類である。使用者にさまざまな物の形状を示し、これに名称を表す文字列の先頭の１文字として対応するひらがな文字を書する場合、発現する文字１３の種類を７３種類に限定することができる。これによって、７３種類よりも多くの種類の物の形状も、物の名称を表す文字列の先頭の１文字の種類によって分類すれば、７３種類に分類することが可能であることを、使用者に示すことができる。
【００４６】
記憶する内容は、少なければ少ないほど、記憶にかかる労力は少なく、労力が少なければ少ないほど、達成が容易となる。使用者に、物の名称を表す文字列の先頭の１文字として記憶すべきひらがな文字の種類を７３種類に限定して指導することによって、使用者の達成を容易にし、使用者の学習に対する意欲を促進することができる。
【００４７】
使用者が塩化第二鉄水溶液を塗布するときには、絵筆および書道用の筆を含む毛筆のうちの１本で塗布することが望ましい。以下、絵筆および書道用の筆を含む毛筆を、単に「筆」と称する。使用者が筆を用いて塩化第二鉄水溶液を塗布することによって、使用者が筆を持つことに慣れることができる。筆を使用することも、使用者に対して知育的刺激となる。
【００４８】
塗布する塩化第二鉄水溶液中の塩化第二鉄の濃度は、体積モル濃度で数ミリモルパーリットル（millimole per liter, 略号「ｍｍｏｌ／ｌ」）から４モルパーリットル（mol
per liter, 略号「ｍｏｌ／ｌ」）であることが好ましく、数ｍｍｏｌ／ｌ〜十ｍｍｏｌ／ｌ程度であることがさらに好ましい。塩化第二鉄水溶液には、可視光によって励起されて電子遷移することによって、可視光を吸収する化学種は含まれていない。したがって、塩化第二鉄水溶液を、黄血塩を含んでいない紙上に塗布しても、塗布された塩化第二鉄水溶液は、ほぼ無色透明である。
【００４９】
黄血塩浸潤領域１７は、乾燥している状態において紙の繊維の間に黄血塩の結晶が散在している状態である。黄血塩浸潤領域１７に塩化第二鉄水溶液が接触すると、塩化第二鉄水溶液中に含まれる水に黄血塩が溶解する。黄血塩が溶解した直後において、溶液中の黄血塩の濃度は、溶液中の塩化第二鉄よりも低い。溶液中において、仮に黄血塩の濃度と塩化第二鉄の濃度が等しいか、または黄血塩が塩化第二鉄に対して過剰に存在する場合には、ＦｅＫ［Ｆｅ（ＣＮ）６］・Ｈ２Ｏで表される可溶性プルシアンブルーが生じる。可溶性プルシアンブルーは、水中でコロイド状に溶解して濃青色溶液となる。第１実施形態において黄血塩の濃度は塩化第二鉄の濃度よりも低いので、可溶性プルシアンブルーが生じることはないので、発色した深青色の黄血塩浸潤領域１７が滲むことはない。
【００５０】
第１実施形態において、黄血塩浸潤領域１７が発色するときの化学反応は、次のイオン反応式（１）で表される。
３Ｋ４［Ｆｅ（ＣＮ）６］＋４Ｆｅ３＋→Ｆｅ４［Ｆｅ（ＣＮ）６］３＋１２Ｋ＋
…（１）
【００５１】
化学反応式では、次の式（２）で表される。
３Ｋ４［Ｆｅ（ＣＮ）６］＋４ＦｅＣｌ３→Ｆｅ４［Ｆｅ（ＣＮ）６］３＋１２ＫＣｌ
…（２）
【００５２】
この反応は、イオン反応であるので、三価の鉄イオンが黄血塩と接触してから数ナノ秒（nanosecond, 略号「ｎｓ」）〜数マイクロ秒（microsecond, 略号「μｓ」）以内に、接触したイオン同士の反応は終了する。
【００５３】
全ての化合物は、短時間に摂取したときに、人体に害を及ぼすと考えられる摂取量があるけれども、黄血塩、塩化第二鉄、フェロシアン化鉄（ＩＩＩ）および塩化カリウムは、いずれも日本国内の法律において毒物、劇物および特定毒物のいずれにも該当せず、安全な化合物である。フェロシアン化合物は、食品添加物としても使用されるもので、安全である。
【００５４】
たとえば、塩化カリウムについても、ラットに対して経口投与した時の、致死量（
lethal dose 50, 略称「ＬＤ５０」）として、３０２０ミリグラムパーキログラム（
milligram per kilogram, 略称「ｍｇ／ｋｇ」）の値から判断すると、体重２０ｋｇ（
kilogram, 略称「ｋｇ」）の人間にとっての致死量は、１人あたり６０グラム（gram, 略称「ｇ」）以上となる。急性経口毒性のＬＤ５０として、２６００ｇ／ｋｇの値を用いるならば、体重２０ｋｇの人間にとっての急性経口による致死量は、１人あたり５０ｇ以上となる。これらのＬＤ５０の値は、衣類用洗剤とほぼ同等である。したがって経口投与を行ったときの塩化カリウムは、毒というには値しない。
【００５５】
したがって、文字習得知育用具１０に利用される化合物は、子供を含む使用者に対して安全である。したがって、文字習得知育用具１０が使用されるときに、仮に文字習得知育用具１０に含まれる化合物および文字習得知育用具１０の使用によって生じる化合物が、経口によって使用者の体内に侵入したとしても、安全上の問題はない。また使用者が机の上、部屋の中で文字習得知育用具１０を使用するときに、致死量として前述した量ほど多量の化合物を使用する必要性はなく、健康上使用者に問題が生じることはない。
【００５６】
第１実施形態によれば、一覧可能な領域１４には、黄血塩水溶液を塗布し乾燥させることによって、物の形状と文字１３との少なくともいずれか一方が形成される。これによって、三価の鉄イオンを含有する液体、たとえば塩化第二鉄が溶解した液体１６を塗布することによって、黄血塩水溶液を塗布し乾燥させた部分を、発色させることができる。したがって、黄血塩水溶液を塗布し乾燥させることによって形成された物の形状と文字１３との少なくともいずれか一方を、視認可能に表示させることが可能になる。
【００５７】
第１実施形態に係る文字習得知育用具１０の使用者に、塩化第二鉄が溶解した液体１６を塗布させた場合には、発色によって使用者に視覚的な刺激を与え、一覧可能な領域１４に形成された内容に、使用者の注意を向けさせることが可能になる。また、塩化第二鉄が溶解した液体１６を塗布しながら、一覧可能な領域１４のうち、すでに視認可能に発現した部分から、未だ発現しない部分の物の形状および文字１３のうちの少なくともいずれか一方を、予想することを、使用者に対して促すことが可能になる。使用者は、この予想と、塩化第二鉄が溶解した液体を塗布することによって発現する物の形状および文字とを比較することによって、前記予想の是非を確認することができる。したがって、使用者に、物の形状と文字との関連を習得させることが可能になる。これによって、使用者に文字を習得させることが可能になる。
【００５８】
また第１実施形態によれば、一覧可能な領域１４に形成される文字１３は、文字１３が関連する予め定める物の名称を表す文字列のうち、先頭からの一部の文字１３である。これによって、一度記憶した物の名称を、使用者が思い出すことを補助することができる。また、一覧可能な領域１４全体に塩化第二鉄が溶解した液体１６を塗布した場合においても、前記一覧可能な領域１４に形成される文字１３は、物の名称を表す文字列の一部であるので、使用者に対して物の名称を思い出すことを強制することができる。
【００５９】
また第１実施形態によれば、文字習得知育用具１０は、黄血塩水溶液を塗布し乾燥させた部分に塗布されるための、塩化第二鉄が溶解した液体１６をさらに含んで構成される。これによって、黄血塩水溶液を塗布し乾燥させ部分に、塩化第二鉄が溶解した液体１６を塗布することが可能となる。
【００６０】
図２は、本発明の第２実施形態における文字習得知育用具１０の平面図である。第２実施形態において、一覧可能な領域１４は、シート状部材１１の表面に形成された領域であり、シート状部材１１は、複数積層され製本されて、冊子１８を形成する。第２実施形態においては、冊子１８の１見開きを一覧可能な領域１４とする。文字１３は、異なる複数の言語による文字列が併記された文字１３を含む。異なる複数の言語による文字列は、一覧可能な領域１４に併記されていてもよく、また１つの冊子１８を成す文字習得知育用具１０の中で、異なるページにわたって併記されていてもよい。
【００６１】
予め定める物の形状は、前記文字１３が表す物体の一部の形状である。文字習得知育用具１０は、黄血塩水溶液を塗布し乾燥させた部分の位置を示す表示１９をさらに含んで構成される。一覧可能な領域１４には、使用者に対する指示を表す文字表示２１がさらに形成され、指示を表す文字表示２１は、黄血塩水溶液を塗布し乾燥させることによって形成される。
【００６２】
一覧可能な領域１４は、シート状部材１１の表面に形成された領域であり、シート状部材１１は、製本されて冊子１８を形成する。これによって、複数のシートの持ち運びが容易になる。また冊子１８として形成されることによって、シート状部材１１は、並ぶ順序が規定される。物の形状およびこれに関連する文字１３を、物語の登場者と、登場者の台詞とすることによって、物語を記載することが可能になる。使用者に、発色させる処理をシート状部材１１の並ぶ順序に応じて行わせることによって、視認した部分と未だ視認していない部分とを、使用者に区別させる。
【００６３】
冊子１８の中の複数のシート状部材１１のうちの１つのシート状部材１１においては、予め定める物の形状は、文字１３が表す物体の一部の形状である。これによって、文字１３が表すものの形状を、使用者が思い出すことを補助する。一覧可能な領域１４に形成される物の形状が、文字１３が表す物体の一部の形状であることによって、物の形状を思い出すことを、使用者に強制する。
【００６４】
一覧可能な領域１４に形成される文字１３は、異なる複数の言語による文字列が併記された文字１３を含むので、使用者に対して、異なる複数の言語の存在を認識させることができる。また使用者が異なる言語を習得することを補助することができる。
【００６５】
文字習得知育用具１０は、黄血塩水溶液を塗布し乾燥させた部分の位置を示す表示１９をさらに含んで構成される。これによって、一覧可能な領域１４のうち、黄血塩水溶液を塗布し乾燥させた部分がどの部分であるのかを、表示する。これによって、塩化第二鉄が溶解した液体１６を塗布するべき領域を表示し、塩化第二鉄が溶解した液体１６を塗布する領域を少なくする。また、塩化第二鉄が溶解した液体１６を塗布する手間を少なくする。
【００６６】
一覧可能な領域１４には、使用者に対する指示を表す文字表示２１が、さらに形成され、指示を表す文字表示２１は、黄血塩水溶液を塗布し乾燥させることによって、形成される。使用者は、塩化第二鉄が溶解した液体１６を塗布し、これに伴って表示された文字表示２１を読むことによって、次にするべきことを認識する。次にすべきことが順次表示されるので、使用者は、作業の進展を認識する。これによって、使用者が、作業を行うことの達成感を感じることを可能にする。文字表示２１を読むことによって作業内容の理解が促すことによって、使用者に文字表示２１を読む作業の必要性を感じさせ、使用者に対して、文字を読むことに関して知育的刺激を与える。
【００６７】
第２実施形態において、シート状部材１１は、第１実施形態と同様の紙であるものとする。各紙の、厚み方向に垂直な一表面を規定する一表面部には、それぞれに物の形状と、これに関連する文字１３が形成される。冊子１８は、右開きの冊子１８であるものとする。冊子１８を構成する紙には、黒のインクと、黄血塩水溶液とによって、物語を形成する登場者の形状と、登場者の台詞を表す文字列とが形成される。登場者は前記予め定める物であり、登場者の形状は、前記予め定める物の形状である。登場者の台詞は、前記文字１３である。
【００６８】
冊子１８に形成される物語に登場する物は、動物であり、擬人化される。擬人化された動物は、物語の中で日本語または外国語を話す。冊子１８の最初から数枚の紙には、物語に登場する動物と、動物の名称を表す文字列の先頭からの一部が描画される。また、物語が描く場面に登場する物、たとえば建物、乗り物、自然、植物を描画したページを含んでいてもよい。
【００６９】
図２には、物がウサギであり、物の形状はウサギを擬人化した図案である場合の文字習得知育用具１０を示す。図２（ａ）において文字１３は、ウサギの名称を表す文字列の先頭からの２文字である「うさ」というひらがな文字である。図２（ｂ）は、物がキリンであり、物の形状はキリンを擬人化した図案である場合の文字習得知育用具１０をしめす。図２（ａ）において文字１３は、キリンの名称を表す文字列の先頭からの２文字である「きり」というひらがな文字である。本発明において、キリンは、キリン科キリン属キリンであるものとし、亜種を含む。図２（ａ）に示すウサギの形状は、耳が垂れた「ロップイヤー」と称されるウサギを擬人化した図案である。
【００７０】
図２において、ウサギの形状とキリンの形状とは、黒の塗料によって描画され、「うさ」というひらがな文字と、「きり」というひらがな文字とは、黄血塩水溶液で書され、乾燥されて形成される。図２に示すこれらの物の形状および文字１３は、第２実施形態における冊子１８に含まれるページの一部であり、これらの他、物語に登場するさまざまな登場者および物の形状が描画される。
【００７１】
文字習得知育用具１０は、黄血塩浸潤領域１７の位置を示す表示１９をさらに含む。表示１９は、紙面を、紙面に垂直に見て、一覧可能な領域１４内に形成される黄血塩浸潤領域１７の少なくとも一部を外囲する位置に視認可能な塗料によって形成される。第２実施形態において表示１９は、黒の塗料によって、形成される。表示１９は、使用者がどの辺りに塩化第二鉄が溶解した液体１６を塗布すれば、黄血塩浸潤領域１７の少なくとも一部が発色するのかを示す。
【００７２】
本発明においては、普通名詞またはこれを現す文字列の先頭からの一部の文字１３およびこの一部に対応する音節が、登場者の固有名詞と混同されることを、必ずしも排除しない。これは、日本語文化の中で、たとえば「うさ」または「うさうさ」という発音が、「うさぎ」を意味する幼児語を形成する場合があるように、名称を表す文字列のうちの先頭からの一部の文字列は、その名称の意味を含む場合がある。名称を表す文字列のうちの先頭からの一部の文字列を記憶することは、日本語および日本語の文字を習得する上において、障害にならない。
【００７３】
また外国語においても、語幹を同じくする単語が、異なる接尾語を伴って派生的な意味を示す場合があり、名称を表す文字列の、先頭からの一部の文字列を記憶することも、言語習得には、先頭からの一部の文字列を記憶することは、障害にならない。
【００７４】
図３は、本発明の第２実施形態に係る文字習得知育用具１０の平面図である。図３（ａ）には、塩化第二鉄が溶解した液体１６を塗布する前の状態を示し、図３（ｂ）には、塩化第二鉄水溶液を塗布した後の状態を示す。冊子１８のうち、最初から数枚の紙に続くページには、物語が描かれる。図３に示す紙に描画される物は、クマであり、物の形状はクマを擬人化した図案である。文字１３は、擬人化されたクマが物語の中で発する台詞を表す文字１３である。図３においてクマが発する台詞を表す文字１３は、「なかよくしよう」というひらがな文字である。本発明において、クマ科クマ亜科に属する動物を総称して「クマ」と称する。クマを擬人化した図案は、黒の塗料によって描画され、「なかよくしよう」というひらがな文字は、黄血塩浸潤領域１７として形成される。
【００７５】
図３に示す一覧可能な領域１４には、黒の塗料で「ここに、ぬりましょう」という字と矢符２２とが書され、矢符２２に示される位置には、「ここにぬりましょう」という文字１３と次の矢符２４とが黄血塩浸潤領域１７として形成される。使用者は、黒の塗料で書された「ここに、ぬりましょう」という字を認識して、矢符２２に示される矢符２２の先の位置に塩化第二鉄が溶解した液体１６を塗布する。これによって、黄血塩浸潤領域１７として形成された「ここにぬりましょう」という文字１３と次の矢符２４とが視認可能に発現する。使用者は、塩化第二鉄が溶解した液体１６を塗布することによって発現した「ここにぬりましょう」という文字１３と次の矢符２４とを認識して、次の矢符２４に示される位置に、塩化第二鉄が溶解した液体１６をさらに塗布する。これによって、「なかよくしよう」という文字１３が視認可能に発現する。
【００７６】
第２実施形態において、黄血塩浸潤領域１７として形成された「ここにぬりましょう」という文字１３は、使用者に対する指示を表す文字表示２１である。字によって書された文字表示２１以外の、たとえば前記次の矢符２４を含む記号が、黄血塩浸潤領域１７としてさらに描画されて乾燥されていてもよい。図３に示す紙面においては、紙面を紙面に垂直に見て、「なかよくしよう」という文字１３を外囲する位置に、黄血塩浸潤領域１７の位置を示す表示１９が視認可能な塗料によって形成される。第２実施形態において黄血塩浸潤領域１７の位置を示す表示１９は、直角に屈曲した線として描画されたカギ括弧である。カギ括弧は、黄血塩浸潤領域１７を左下、左上、右上、右下から規定する形状に、黒の塗料によって描画される。上下左右は、紙面に平行な向きである。
【００７７】
図４は、本発明の第２実施形態に係る文字習得知育用具１０の平面図である。冊子１８のうち、物語が描かれた紙に続くページには、物語に登場した登場者が描かれる。図４には、物がゾウであり、物の形状はゾウの一部分の形状である場合の文字習得知育用具１０を示す。ゾウの一部分の形状はゾウの鼻を含むゾウの一部分の形状である。本発明において、ゾウ目の動物を総称して「ゾウ」と称する。ゾウ目は、長鼻目と称されることもある。図４において文字１３は、ゾウの名称を表す日本語の文字列である「ぞう」という文字１３と、ゾウの名称を表す英語の文字列である「ＥＬＥＰＨＡＮＴ」という文字１３との両方である。この文字列は、大文字１３のアルファベット文字１３として書される。
【００７８】
図４に示す紙面においては、ここに描画されるゾウの一部分の形状全てが、黄血塩浸潤領域１７として形成される。「ＥＬＥＰＨＡＮＴ」という文字１３は、黒の塗料で描画される。「ぞう」という文字１３は、黄血塩浸潤領域１７として形成される。黄血塩浸潤領域１７の位置を示す表示１９としては、ゾウの一部分の形状のうちの、さらに一部分の位置を示す表示１９と、「ぞう」という文字１３の位置を示す表示１９との両方が、黒の塗料で描画される。ゾウの一部分の形状のうちの、前記さらに一部分を除く他の部分は、黄血塩浸潤領域１７の位置を示す表示１９に示される領域よりも外方に位置する。図４には、前記さらに一部分を除く他の部分は、ゾウの牙の形状である。
【００７９】
図４に示す黄血塩浸潤領域１７の位置を示す表示１９は、黒の塗料によって描画され、ゾウの鼻を含むゾウの一部分の形状が形成された部分よりも左上および左下の隅を示して描画される。黄血塩浸潤領域１７の位置を示す表示１９は、カギ括弧の形状であることによって、上方のカギ括弧と下方のカギ括弧の２つの表示１９よりも、右に黄血塩浸潤領域１７が位置することを示す。
【００８０】
使用者は、第２実施形態に係る文字習得知育用具１０の中で、図４に示すページに先行するページに塩化第二鉄が溶解した液体１６を塗布し、そこに描かれた登場者を記憶しているものとする。使用者が、ゾウを表す英語の名称を把握していなければ、「ＥＬＥＰＨＡＮＴ」という文字１３を見ることによって、「ＥＬＥＰＨＡＮＴ」という文字１３が何を意味するのかを使用者が知ることはできない。しかし黄血塩浸潤領域１７を示す表示１９を認識することによって、この表示１９が示す位置の紙面に、塩化第二鉄が溶解した液体１６を塗布する。これによって、ゾウの一部分の形状と、「ぞう」という文字１３との少なくともいずれか一方が視認可能に発現する。
【００８１】
使用者は、物語に登場したゾウの一部分の形状を見て、ゾウ全体を想起することができる。また物語に登場したゾウの名称を記憶していれば、「ぞう」という日本語を想起することができる。ゾウ全体の形状を想起すれば、黄血塩浸潤領域１７を示す表示１９に示される領域よりも外方にも、ゾウの形状の一部が存在することを予想し、黄血塩浸潤領域１７を示す表示１９に示される領域よりも広い範囲に塩化第二鉄が溶解した液体１６を塗布する。これによって、ゾウの牙の形状を発現させ、これを視認して確認する。
【００８２】
「ＥＬＥＰＨＡＮＴ」という英語の文字１３が形成される一覧可能な領域１４に、ゾウの一部分の形状と、「ぞう」という文字１３との少なくともいずれか一方が視認可能に発現することによって、「ＥＬＥＰＨＡＮＴ」という英語の文字１３がゾウおよび「ぞう」という日本語に対応することを学習することができる。また先行するページに登場した登場者の形状またはこの一部を、後続するページで描画することによって、記憶した物の形状およびこの名称を復習することが可能になる。
【００８３】
また第２実施形態によれば、一覧可能な領域１４は、シート状部材１１の表面に形成された領域であり、シート状部材１１は、製本されて冊子１８を形成する。これによって、複数のシートの持ち運びが容易になる。また複数のシートが並ぶ順序を規定することができる。これによって、物の形状およびこれに関連する文字１３を、物語の登場者と、登場者の台詞とすることによって、物語を記載することが可能になる。また使用者に、発色させる処理をシート状部材１１の並ぶ順序に応じて行わせることによって、視認した部分と未だ視認していない部分とを使用者に区別させることができる。
【００８４】
また第２実施形態によれば、一覧可能な領域１４に形成される文字１３は、異なる複数の言語による文字列が併記された文字１３を含むので、使用者に対して、異なる複数の言語の存在を認識させることができる。また使用者が異なる言語を習得することを補助することができる。
【００８５】
また第２実施形態によれば、予め定める物の形状は、文字１３が表す物体の一部の形状である。これによって、文字１３が表す物の形状を使用者が思い出すことを、補助することができる。また一覧可能な領域１４全体に塩化第二鉄が溶解した液体１６を塗布した場合においても、前記一覧可能な領域１４に形成される物の形状は、文字１３が表す物体の一部の形状であるので、物の形状を思い出すことを、使用者に強制することができる。
【００８６】
また第２実施形態によれば、文字習得知育用具１０は、黄血塩水溶液を塗布し乾燥させた部分の位置を示す表示１９をさらに含んで構成される。これによって、一覧可能な領域１４のうち、黄血塩水溶液を塗布し乾燥させた部分が、どの部分であるのかを表示することができる。したがって、塩化第二鉄が溶解した液体１６を塗布するべき領域を表示することによって、塩化第二鉄が溶解した液体１６を塗布する領域を少なくすることができる。これによって、塩化第二鉄が溶解した液体１６を塗布する手間を少なくすることが可能となる。
【００８７】
また第２実施形態によれば、一覧可能な領域１４には、使用者に対する指示を表す文字表示２１が、さらに形成され、前記指示を表す文字表示２１は、黄血塩水溶液を塗布し乾燥させることによって、形成される。したがって、使用者は、塩化第二鉄が溶解した液体１６を塗布し、これに伴って表示された文字表示２１を読むことによって、次にするべきことを認識することができる。次にすべきことが順次表示されるので、使用者は、作業の進展を認識することができる。これによって、使用者が、作業を行うことの達成感を感じることを可能にする。使用者にとって文字表示２１を読む作業が必要になり、また文字表示２１を読むことによって作業内容の理解が促されるので、文字表示２１を読むことおよび文字表示２１が読めるようになることの重要性を使用者に感じさせることが可能となる。したがって、使用者に文字表示２１を読むことを促すことが可能となる。
【００８８】
図５は、本発明の第３実施形態に係る文字習得知育用具１０に書される文字１３を示す平面図である。第３実施形態において文字１３は、黄血塩水溶液を塗布し乾燥させることによって形成された複数の字を含み、前記複数の字のうちの一部の字が形成される部分の、文字として表示する側の表面上には、水分の浸透を抑制または防止する薄膜２６が形成される。
【００８９】
また前記薄膜２６は、一覧可能な領域１４のうち、複数の字が形成される部分の、文字として表示する側の表面上に形成され、前記薄膜２６が覆う部分は、文字として表示する側から見て、文字を形成するために黄血塩水溶液が塗布および乾燥された部分よりも周囲に広く形成され、文字として表示する側から見たときの、前記薄膜２６が覆う部分の面積と、文字１３を形成するために黄血塩水溶液が塗布および乾燥された部分の面積との差は、前記薄膜２６が覆う字によって異なる。
【００９０】
また塩化第二鉄が溶解した液体１６は、塩化第二鉄を溶質として含み、水と混和可能な、常温で液体の有機化合物と水とを溶媒として含む溶液である。
【００９１】
文字１３は、黄血塩水溶液を塗布し乾燥させることによって形成された複数の字を含み、複数の字のうちの一部の字が形成される部分の表面上には、水分の浸透を防止する薄膜２６が形成される。これによって、塩化第二鉄が溶解した液体１６を塗布したときに、薄膜２６が形成される表面部に黄血塩水溶液によって文字が形成される部分に塩化第二鉄が溶解した液体１６が浸透する時刻を、塩化第二鉄が溶解した液体１６を塗布した時刻に対して遅らせる。
【００９２】
これによって、薄膜２６が形成されない表面部に黄血塩水溶液によって形成された字が、視認可能に表示される時刻よりも、薄膜２６が形成された表面部に黄血塩水溶液によって形成された字が視認可能に表示される時刻を遅らせる。塩化第二鉄が溶解した液体１６を塗布することによって表示される複数の字を、読むべき順序に沿って、表示時刻に差を生じさせて順次表示させる。
【００９３】
薄膜２６は、一覧可能な領域１４のうち、複数の字が形成される部分の表面上に形成され、薄膜２６が覆う部分は、文字として表示する側から見て、黄血塩水溶液が塗布および乾燥された部分よりも周囲に広く形成される。薄膜２６が覆う部分の面積と、黄血塩水溶液が塗布および乾燥された部分の面積との差は、字によって異なる。これによって、塩化第二鉄が溶解した液体１６が塗布されてから、黄血塩水溶液が塗布および乾燥された部分に塩化第二鉄が溶解した液体１６が浸透するまでの時間を、字によって違わせる。
【００９４】
これによって、一覧可能な領域１４全体に塩化第二鉄が溶解した液体１６を塗布した場合、黄血塩水溶液が塗布および乾燥されることによって形成された字が、視認可能に表示される時刻を、文字毎に変化させる。塩化第二鉄が溶解した液体１６を塗布することによって表示される複数の字を、読むべき順序に沿って、表示時刻に差を生じさせて順次表示させる。
【００９５】
溶媒は、この一部として水を含み、前記塩化第二鉄が溶解した液体１６中で第二鉄イオンを含有する。第二鉄イオンは、黄血塩水溶液を塗布して乾燥させた部分において黄血塩と化学反応し、これによって、黄血塩水溶液を塗布して乾燥させた部分は、視認可能に発色する。また前記塩化第二鉄が溶解した液体１６は、水と混和可能な、常温で液体の有機化合物を溶媒の一部として含む。これによって、塩化第二鉄が溶解した液体１６を一覧可能な領域１４に塗布してから、塩化第二鉄を溶質として含む溶媒が乾燥するまでの時間は、溶媒が水である場合に比べて短縮される。したがって、シート状部材１１の表面に使用者の手指および他のシート状部材１１が接触することで、塩化第二鉄が溶解した液体１６が使用者の手指および他のシート状部材１１に浸潤する可能性のある時間が、溶媒が水である場合に比べて短縮される。
【００９６】
第３実施形態において、一覧可能な領域１４は、第１実施形態と同様の紙に形成される。文字１３は、「きりん」という３つのひらがな文字である。これら３つの字は、紙面の厚み方向一方側から見て判読可能に形成される。以下、前記紙面の厚み方向一方を「紙面方向一方」と称する。またこの紙面上で「外方」または「内方」というとき、これらは紙面に平行な方向における外方または内方の向きであるものとする。また第３実施形態において使用者は、一覧可能な領域１４内の黄血塩浸潤領域１７を含む範囲に、数秒〜十数秒のうちに塩化第二鉄が溶解した液体１６を塗布することを前提とする。
【００９７】
「きりん」という３つの字は、黄血塩浸潤領域１７として形成され、同じ太さの線で書される。これら３つの字のうち、「り」と「ん」の黄血塩浸潤領域１７の紙面上には、薄膜２６が形成される。薄膜２６は、紙面の紙面方向一方側の表面上に形成される。薄膜２６は、紙面方向一方から他方への水の浸透を防止する。薄膜２６は、高分子から形成される。薄膜２６は、ポリエチレン、ポリ塩化ビニリデンの少なくともいずれか一方を含んで構成され、エタノールおよびアセトンに溶解しないことが好ましい。
【００９８】
薄膜２６は、「き」という字を形成する黄血塩浸潤領域１７の紙面方向一方には形成されない。「り」という字の紙面方向一方を覆う薄膜２６は、「り」という字の線を形成する黄血塩浸潤領域１７の外方に広がる。紙面方向一方側から見て、「り」という字の黄血塩浸潤領域１７を覆う薄膜２６の輪郭は、「り」という字の黄血塩浸潤領域１７の輪郭に対して１ミリメートル（millimeter, 略号「ｍｍ」）外方に延在する。「ん」という字の紙面方向一方を覆う薄膜２６は、「ん」という字の線を形成する黄血塩浸潤領域１７の外方に広がる。紙面方向一方側から見て、「ん」という字の黄血塩浸潤領域１７を覆う薄膜２６の輪郭は、「ん」という字の黄血塩浸潤領域１７の輪郭に対して３ｍｍ外方に延在する。
【００９９】
「きりん」という文字１３は「き」、「り」、「ん」の順序で読むべきひらがな文字である。字の黄血塩浸潤領域１７の輪郭に対して薄膜２６の輪郭が離れる距離は、読むべき順序が後であれば後であるほど、大きく設定される。使用者が、紙面上の「り」および「ん」の字を形成する黄血塩浸潤領域１７を含む範囲に、塩化第二鉄が溶解した液体１６を塗布すると、塩化第二鉄が溶解した液体１６は、「き」の字の黄血塩浸潤領域１７にはすぐに浸潤し、これによって黄血塩浸潤領域１７は発色し、「き」の字が発現する。
【０１００】
「り」の字の黄血塩浸潤領域１７には、塩化第二鉄が溶解した液体１６は、紙面方向一方から浸潤することができず、「り」の字の黄血塩浸潤領域１７の外方から浸潤する。これによって、塩化第二鉄が溶解した液体１６が塗布されてから字が発現するまでの時間は、「き」の字の場合よりも「り」の字の場合の方が長くなる。「ん」の字の黄血塩浸潤領域１７には、塩化第二鉄が溶解した液体１６は、紙面方向一方から浸潤することができず、「ん」の字の黄血塩浸潤領域１７の外方から浸潤する。
【０１０１】
字の黄血塩浸潤領域１７の輪郭に対して薄膜２６の輪郭が離れる距離は、「ん」の字における距離の方が「り」の字における距離よりも長い。したがって、「ん」の字の黄血塩浸潤領域１７の周囲に塩化第二鉄が溶解した液体１６が塗布されてから、「ん」の字の黄血塩浸潤領域１７に塩化第二鉄が溶解した液体１６が浸潤するまでの時間は、「り」の字の黄血塩浸潤領域１７の周囲に塩化第二鉄が溶解した液体１６が塗布されてから、「り」の字の黄血塩浸潤領域１７に塩化第二鉄が溶解した液体１６が浸潤するまでの時間よりも長い。したがって、塩化第二鉄が溶解した液体１６が塗布されてから字が発現するまでの時間は、「り」の字の場合よりも「ん」の字の場合の方が長くなる。
【０１０２】
したがって、「きりん」の文字１３の黄血塩浸潤領域１７を含む範囲に、ほぼ同時に塩化第二鉄が溶解した液体１６を塗布すると、「きりん」の文字１３は、「き」、「り」、「ん」の順序で発現する。
【０１０３】
塩化第二鉄は、水だけでなく、常温で液体の有機化合物、たとえばエタノール、エーテル、アセトンにも溶解する。本発明において摂氏２３度以上２７度未満の温度範囲を「常温」と称する。以下、常温で液体の有機化合物を「有機溶媒」と称する。第３実施形態において、塩化第二鉄が溶解した液体１６は、塩化第二鉄を溶解する溶媒として水と、エタノールとを含む。塩化第二鉄は、有機溶媒中では、ＦｅＣｌ３で表される分子として溶解するので、三価の鉄イオンとして存在する物質量は少ない。これに水を含むことによって、塩化第二鉄は加水解離し、三価の鉄イオンを生じる。これによって、黄血塩と接触して発色する反応が起こる。
【０１０４】
有機溶媒のエタノール、エーテル、アセトンのうちでは、エーテルは、水と混和しないので、第３実施形態において塩化第二鉄を溶解する溶媒として好ましくない。エタノールおよびアセトンは、水と混和する。２つの液体が、任意の組成で混ぜ合わされたときに、相分離することなく混合することを混和するという。エタノールおよびアセトンのうちでは、アセトンはエタノールに比べて高分子を溶解しやすいので、塩化第二鉄を溶解する溶媒は、有機溶媒としてエタノールを含むことが好ましい。ただし、アセトンは高分子すべてを溶解するわけではない。
【０１０５】
また第３実施形態によれば、文字１３は、黄血塩水溶液を塗布し乾燥させることによって形成された複数の字を含み、複数の字のうちの一部の字が形成される部分の表面上には、水分の浸透を防止する薄膜２６が形成される。これによって、塩化第二鉄が溶解した液体１６を塗布したときに、薄膜２６が形成される表面部に黄血塩水溶液によって文字が形成される部分に塩化第二鉄が溶解した液体１６が浸透する時刻を、塩化第二鉄が溶解した液体１６を塗布した時刻に対して遅らせることができる。
【０１０６】
したがって、薄膜２６が形成されない表面部に黄血塩水溶液によって形成された字が、視認可能に表示される時刻よりも、薄膜２６が形成された表面部に黄血塩水溶液によって形成された字が視認可能に表示される時刻を遅らせることができる。これによって、塩化第二鉄が溶解した液体１６を塗布することによって表示される複数の字を、読むべき順序に沿って、表示時刻に差を生じさせて順次表示させることが可能となる。
【０１０７】
また第３実施形態によれば、薄膜２６は、一覧可能な領域１４のうち、複数の字が形成される部分の表面上に形成され、薄膜２６が覆う部分は、文字として表示する側から見て、黄血塩水溶液が塗布および乾燥された部分よりも周囲に広く形成される。薄膜２６が覆う部分の面積と、黄血塩水溶液が塗布および乾燥された部分の面積との差は、字によって異なる。これによって、塩化第二鉄が溶解した液体１６が塗布されてから、黄血塩水溶液が塗布および乾燥された部分に塩化第二鉄が溶解した液体１６が浸透するまでの時間を、字によって違わせることができる。
【０１０８】
したがって、一覧可能な領域１４全体に塩化第二鉄が溶解した液体１６を塗布した場合、黄血塩水溶液が塗布および乾燥されることによって形成された文字が、視認可能に表示される時刻を、文字毎に変化させることが可能となる。したがって、塩化第二鉄が溶解した液体１６を塗布することによって表示される複数の字を、読むべき順序に沿って、表示時刻に差を生じさせて順次表示させることが可能となる。
【０１０９】
また第３実施形態によれば、溶媒の一部として水を含むので、前記塩化第二鉄が溶解した液体１６中で第二鉄イオンを生じることができる。したがって、黄血塩水溶液を塗布して乾燥させた部分において黄血塩と化学反応し、黄血塩水溶液を塗布して乾燥させた部分を視認可能に発色させることができる。また前記塩化第二鉄が溶解した液体１６は、水と混和可能な、常温で液体の有機化合物を溶媒の一部として含む。これによって、塩化第二鉄が溶解した液体１６を一覧可能な領域１４に塗布してから、塩化第二鉄を溶質として含む溶媒が乾燥するまでの時間を、溶媒が水である場合に比べて短縮することができる。したがって、シート状部材１１の表面に使用者の手指および他のシート状部材１１が接触することで、塩化第二鉄が溶解した液体１６が使用者の手指および他のシート状部材１１に浸潤する可能性のある時間を、溶媒が水である場合に比べて短縮することができる。
【０１１０】
また溶媒の一部として有機溶媒を含むことによって、溶媒の表面張力の大きさを小さくすることができる。これによって、塩化第二鉄が溶解した液体１６を一覧可能な領域１４に塗布したときに、一覧可能な領域１４に浸潤する速さを速くすることができる。したがって、シート状部材１１の表面に使用者の手指および他のシート状部材１１が接触することで、塩化第二鉄が溶解した液体１６が使用者の手指および他のシート状部材１１に浸潤する可能性のある時間を、溶媒が水である場合に比べて短縮することができる。
【０１１１】
図６は、本発明の第４実施形態に係る文字習得知育用具１０の一部に描画される物の形状および文字１３を示す平面図である。図７は、本発明の第４実施形態に係る文字習得知育用具１０の他の一部に描画される物の形状および文字１３を示す平面図である。図６において予め定める物は、ウサギであり、物の形状はウサギを模擬した図案である。文字１３は、ウサギをローマ字で表すときの先頭からの１文字である「Ｕ」の文字１３である。図６においては、ウサギの形状が、黒の塗料で描画され、「Ｕ」の文字１３は、黄血塩浸潤領域１７として形成される。
【０１１２】
また図７に示す一覧可能な領域１４には、「うさぎ」という黒の塗料で書された文字１３に対応して、複数の物の形状が描画される。図７において予め定める物は、ウサギであり、物の形状はウサギを模擬した複数の図案である。文字１３は、ウサギをひらがな文字で表した「うさぎ」の文字１３である。図７においては、「うさぎ」の文字１３は黒の塗料で書され、複数の図案は、黄血塩浸潤領域１７として形成される。「うさぎ」という文字１３よりも右側にはロップイヤーを模擬した図案が描画され、「うさぎ」という文字１３よりも左側には日本白色種ウサギを模擬した図案が描画される。
【０１１３】
使用者が、図７に示す「うさぎ」という文字１３を認識した場合に、ウサギを想起する。想起したウサギが、仮に日本白色種ウサギであるならば、黄血塩浸潤領域１７として形成された複数の図案を発現させることによって、ロップイヤーもうさぎであることを認識する。このように、一覧可能な領域１４に書される文字１３が表す物のうちの、複数の種類または複数の形態を物の形状として描画しておくことによって、文字１３が表す意味の範囲を広げることができる。たとえばロップイヤーもウサギであることを表示して教育することによって、単一の図案によって教育する場合に比べて、ウサギという名称に属する範囲を広く明示し、ウサギという概念の明確な形成を促すことができる。
【０１１４】
第４実施形態において一覧可能な領域１４に含まれる複数の図案は、互いに異なる複数の強調と省略の手法によって図案化された図案であってもよい。これによって、使用者は、複数の図案化の手法による図案を見ることができ、強調と省略の方法に慣れ親しむこともできる。
【０１１５】
第１〜第４実施形態において物の形状と文字１３とは、いずれか一方が黄血塩浸潤領域１７として形成され、それらのうち他の一方は、塩化第二鉄が溶解した液体１６を塗布する以前にすでに視認可能な黒の塗料によって描画されるけれども、他の実施形態において物の形状と文字１３とは、両方ともに黄血塩浸潤領域１７として形成されてもよい。また物の形状の一部または文字１３の一部が黄血塩浸潤領域１７として形成され、物の形状の一部または文字１３の一部が視認可能な塗料によって描画されてもよい。
【０１１６】
第１〜第４実施形態において視認可能な塗料として、黒の塗料を用いたけれども、他の実施形態においては、黒の塗料の代わりに、紙面の色とは異なる黒以外の塗料を用いてもよい。
【０１１７】
第１〜第４実施形態において、使用者に対する指示を表す文字表示２１は、使用者に加えて、使用者の保護者を対象として書される内容であってもよい。また塩化第二鉄が溶解した液体１６を塗布する以前にすでに視認可能な塗料によって、使用者の保護者に対する指示が書されていてもよい。また使用者の保護者が、黄血塩水溶液を一覧可能な領域１４に塗布し乾燥させて使用者に与え、使用者が塩化第二鉄が溶解した液体１６を塗布することによって、使用してもよい。
【０１１８】
物は動物以外の物であってもよく、たとえば建物、乗り物、自然、植物であってもよい。一覧可能な領域１４は１ページではなく、１見開きであってもよい。文字１３は、ひらがな文字だけではなく、漢字、片仮名、数字、記号、および他の言語の文字１３のうちのいずれかをさらに含んでいてもよい。文字１３は、縦書きであっても横書きであってもよい。
【０１１９】
第２実施形態において冊子１８は、右開きであるものとしたけれども、冊子１８を開く方向については、特に規定しない。たとえば他の実施形態において冊子１８は、左開きであってもよい。
【図面の簡単な説明】
【０１２０】
【図１】本発明の第１実施形態に係る文字習得知育用具１０の平面図である。
【図２】本発明の第２実施形態における文字習得知育用具１０の平面図である。
【図３】本発明の第２実施形態に係る文字習得知育用具１０の平面図である。
【図４】本発明の第２実施形態に係る文字習得知育用具１０の平面図である。
【図５】本発明の第３実施形態に係る文字習得知育用具１０に書される文字１３を示す平面図である。
【図６】本発明の第４実施形態に係る文字習得知育用具１０の一部に描画される物の形状および文字１３を示す平面図である。
【図７】本発明の第４実施形態に係る文字習得知育用具１０の他の一部に描画される物の形状および文字１３を示す平面図である。
【図８】従来技術に係る変色性塗り絵セット１の斜視図である。
【図９】従来技術に係る変色性塗り絵２の断面図である。
【符号の説明】
【０１２１】
１０  文字習得知育用具
１１  シート状部材
１２  物の形状
１３  文字
１４  一覧可能な領域
１６  塩化第二鉄が溶解した液体
１７  黄血塩浸潤領域
１８  冊子
１９  表示
２１  文字表示
２２  矢符
２４  次の矢符
２６  薄膜
【図１】
0004533410.tif 000002
【図２】
0004533410.tif 000003
【図３】
0004533410.tif 000004
【図４】
0004533410.tif 000005
【図５】
0004533410.tif 000006
【図６】
0004533410.tif 000007
【図７】
0004533410.tif 000008
【図８】
0004533410.tif 000009
【図９】
0004533410.tif 000010